(57)【要約】【課題】補充充電用ケーブルおよび通常充電用ケーブルを用意し、電気機器を長期保存する場合は、補充充電用ケーブルを使用して補充充電を行い、電気機器が通常使用されるときは通常充電用ケーブルを使用して通常充電を行なう。【解決手段】二次電池の充電回路と、前記充電回路に外部電源を接続するために、補充充電用ケーブルおよび通常充電用ケーブルが選択的に接続される外部電源コネクタと、前記外部電源コネクタに接続された補充充電用ケーブルと通常充電用ケーブルを判定する判定部と、前記判定部の判定結果に基づき前記充電回路に補充充電と通常充電とを選択的に行なわせる充電制御部とを備える。【選択図】図１
2014060861.tif 000002
【特許請求の範囲】
【請求項１】
二次電池の充電回路と、
前記充電回路に外部電源を接続するために、補充充電用ケーブルおよび通常充電用ケーブルが選択的に接続される外部電源コネクタ部と、
前記外部電源コネクタに接続された補充充電用ケーブルまたは通常充電用ケーブルの判定を行なう判定部と、
前記判定部の判定結果に基づき前記充電回路に補充充電と通常充電とを選択的に行なわせる充電制御部と
を備えることを特徴とする二次電池の充電装置。
【請求項２】
前記補充充電用および通常充電用ケーブルは、一対の識別端子を備え、前記補充充電用および通常充電用ケーブルの一方は、前記一対の識別端子を短絡するための短絡線を有し、前記判定部は、前記外部電源コネクタ部に前記補充充電用ケーブルまたは通常充電用ケーブルが接続されたとき、前記一対の識別端子が短絡されているか否かを検出して、前記判定を行なうことを特徴とする請求項１に記載の二次電池の充電装置。
【請求項３】
更に、前記二次電池の電池容量を検出する電池容量検出部と、前記二次電池と充電回路の間に接続された充電切り離し回路を備え、
前記外部電源コネクタに補充充電用ケーブルが接続されたとき、前記電池容量検出部の検出出力に基づいて、前記充電切り離し回路のオン・オフを制御する充電切り離し設定回路を備えることを特徴とする請求項１または２に記載の二次電池の充電装置。
【請求項４】
前記電池容量検出部は、電池容量が電池劣化軽減範囲かどうか検出することを特徴とする請求項１から３までのいずれか１項に記載の二次電池の充電装置。
【発明の詳細な説明】
【技術分野】
【０００１】
本発明は、二次電池の充電装置に関し、特に、本発明は、二次電池を補充充電または通常充電することができる二次電池の充電装置に関する。
【背景技術】
【０００２】
携帯電話、電子書籍、携帯端末のような携帯型電気機器や、ノート型パーソナルコンピュータなどの電源装置として、二次電池（リチウムイオン電池）が使用されるが、リチウムイオン電池は、満充電状態のまま長期保存すると劣化し、また充放電を繰り返すと、メモリ効果により電池電圧が低下することが知られている。この問題を解決するため、二次電池の残容量を検出して、その残容量に基づいて充電量及び放電量を制御し、その際、二次電池の残容量を任意の値、例えば、満充電を下回り二次電池を長期間保存可能な所定容量に制御することが公知である（特許文献１）。
また、電池容量が保存に適した保存容量になるよう充放電装置の動作を制御することが公知である（特許文献２）。特許文献２は、更に詳細には、二次電池の電池容量を検出し、電池容量が保存に適した保存容量になるように、充放電手段の動作を制御するものである。また、特許文献２は、切換スイッチにより補充充電と、通常充電を切り換えることを記載している。
また、二次電池が長期間、電気機器に接続された状態で保存されても内蔵の電池セルが過放電状態にならず、電池ユニットの信頼性を向上するために、電池セルの電圧を監視し、電池セルの電圧に応じて電池セルと負荷の間に接続したスイッチを外部から供給される強制オフ信号により強制オフ状態に保持することが公知である（特許文献３）。
【先行技術文献】
【特許文献】
【０００３】
【特許文献１】特開２００２−３１５２１４号公報
【特許文献２】特開平０８−０３３２２０号公報
【特許文献３】特開２０００−２７０４８５号公報
【発明の概要】
【発明が解決しようとする課題】
【０００４】
上記公知のように、二次電池が電気機器に接続された状態で保存される場合は、二次電池を補充充電することができる。また、特許文献２は、切換スイッチにより、通常充電と補充充電を切り換えることを記載している。
しかしながら、一般的に、補充充電はメーカーまたは販売店などが電気機器を長期保存する場合に行い、ユーザーは通常充電を行なうものである。従って、電気機器に補充充電用端子と通常充電用端子を備えたり、充電装置に補充充電と通常充電を切り換える切り換えスイッチを備えたりすることが考えられる。しかし、補充充電用端子と通常充電用端子を備えることは、小型電気機器の場合には設置場所がなく困難である。また、充電装置に補充充電と通常充電を切り換える切換スイッチを備える場合は、切換スイッチの操作が必要となって、面倒又は不便である。
本発明は、このような問題に鑑みて、補充充電用ケーブルおよび通常充電用ケーブルを用意し、電気機器を長期保存する場合は、補充充電用ケーブルを使用して補充充電を行い、電気機器が通常使用されるときは通常充電用ケーブルを使用して通常充電が行なうものである。
【課題を解決するための手段】
【０００５】
前記課題を解決するため、本発明の二次電池の充電装置は、二次電池の充電回路と、前記充電回路に外部電源を接続するために、補充充電用ケーブルおよび通常充電用ケーブルが選択的に接続される外部電源コネクタ部と、前記外部電源コネクタに接続された補充充電用ケーブルまたは通常充電用ケーブルの判定を行なう判定部と、前記判定部の判定結果に基づき前記充電回路に補充充電と通常充電とを選択的に行なわせる充電制御部とを備えることを特徴とする。
【０００６】
また、本発明の二次電池の充電装置は、実施形態において、前記外部電源コネクタ部は、更に、補充充電用または通常充電用ケーブルを識別する第１の識別端子を備え、前記補充充電用ケーブルまたは通常充電用ケーブルの一方は、更に、補充充電用または通常充電用ケーブルを識別する第２の識別端子を備え、前記判定部は、前記外部コネクタ部に前記補充充電用ケーブルまたは通常充電用ケーブルが接続されたとき、前記第１の識別端子と第２の識別端子の接続を検出して、前記判定を行なうとよい。要するに、前記補充充電用および通常充電用ケーブルは、一対の識別端子を備え、前記補充充電用および通常充電用ケーブルの一方は、前記一対の識別端子を短絡するための短絡線を有し、前記判定部は、前記外部電源コネクタ部に前記補充充電用ケーブルまたは通常充電用ケーブルが接続されたとき、前記一対の識別端子が短絡されているか否かを検出して、前記判定を行なうとよい。
【０００７】
また、本発明の二次電池の充電装置は、実施形態において、更に、前記二次電池の電池容量を検出する電池容量検出部と、前記二次電池と充電回路の間に接続された充電切り離し回路を備え、前記外部電源コネクタ部に補充充電用ケーブルが接続されたとき、前記電池容量検出部の検出出力に基づいて、前記充電切り離し回路のオン・オフを制御する充電切り離し設定回路を備えるとよい。
【０００８】
また、本発明の二次電池の充電装置は、実施形態において、前記電池容量検出部は、電池容量が電池劣化軽減範囲かどうか検出するとよい。
【発明の効果】
【０００９】
本発明の二次電池の充電装置によれば、補充充電用ケーブルを使用する場合は補充充電が行われ、通常充電用ケーブルを使用する場合は通常充電が行われる。従って、メーカーや販売店のような業者およびユーザーは、特別な操作を行なう必要がなく、便利である。
【図面の簡単な説明】
【００１０】
【図１】本発明の二次電池の充電装置による実施形態の回路図を示す。
【図２】本発明の二次電池の充電装置による実施形態に使用される外部コネクタ部の接続図を示す。
【図３】本発明の二次電池の充電装置による実施形態に使用されるスイッチ、ＦＥＴ、ＩＣの真理値表を示す。
【図４】本発明の二次電池の充電装置において、電池切り離し設定回路をオンにするフローチャート図を示す。
【図５】本発明の二次電池の充電装置において、補充充電と通常充電を行なうフローチャート図を示す。
【図６】本発明の二次電池の充電装置において、電池切り離し回路をオフにするフローチャート図を示す。
【発明を実施するための形態】
【００１１】
図１は、本発明の二次電池の充電装置による実施形態の回路図を示し、外部電源コネクタ部１と、判定部２と、電源回路・充電回路３と、二次電池４と、電池容量検出部５と、電池切り離し回路６と、電池切り離し設定回路７と、第２ＦＥＴ８と、第３ＦＥＴ９と、電気機器本体のシステム１０とを備える。システム１０は、携帯電話、電子書籍、携帯端末のような携帯型電気機器や、ノート型パーソナルコンピュータなどであり、二次電池４を電源として動作する電気機器である。電気機器以外に、電動自動車、電動自転車、自走式掃除機、自走ロボットなども本発明の二次電池の充電装置を適用できる対象商品である。
【００１２】
上記外部電源コネクタ部１は、電源回路・充電回路３に接続され、更に、電池切り離し回路６を介して二次電池４に接続される。電池容量検出部５は、二次電池４の電池容量を検出し、その検出出力を電源回路・充電回路３に供給する。電源回路・充電回路３は、電池容量検出部５の検出出力に基づき、電池切り離し設定回路７を制御する。電池切り離し設定回路７は、電源回路・充電回路３の出力、電池切り離しパッド７５、電源ボタンのオン・オフにより変化する電源ボタンライン７６の電位により、電池切り離し回路６のオン・オフを制御し、二次電池４の充電または充電しないを制御する。
また、外部電源コネクタ部１に補充充電用ケーブルまたは通常充電ケーブルが接続された場合は、判定部２が補充充電用ケーブルまたは通常充電ケーブルを判定する。判定部２の判定結果は、電源回路・充電回路３の中の充電制御部３１に供給され、充電制御部３１の第１出力端子３１ａから補充充電電圧または第２出力端子３１ｂから通常充電電圧を出力するに制御する。
ここで、補充充電は、二次電池を保存した場合に電池劣化を生じないような、満充電よりも低い所定の電圧に充電することを言う。また、通常充電は、満充電を可能にする充電のことを言う。
【００１３】
外部電源コネクタ部１は、図２（ａ）に示す補充充電用ケーブル１１、または第２図（ｂ）に示す通常充電用ケーブル１２と接続される入力端子１８を備える。
補充充電用ケーブル１１は、例えば、メーカー、販売店などに備えられ、メーカーの従業員、販売店の店員が二次電池を補充充電する場合に使用される。通常充電用ケーブル１２は、電気機器の使用者が所有し、二次電池を通常充電する場合に使用される。勿論、メーカーまたは販売店などに通常充電用ケーブル１２を備え、通常充電してもよいし、ユーザーが補充充電用ケーブル１１を備え、補充充電をしてもよい。
【００１４】
補充充電用ケーブル１１及び通常充電用ケーブル１２は、商用交流電源に接続するためのプラグ１３、ＡＣ／ＤＣ変換器１４を内蔵するＡＣアダプター１５、及びケーブル１６を備えて構成される。補充充電用ケーブル１１及び通常充電用ケーブル１２の出力端子１７は同一構造であり、外部電源コネクタ部１の入力端子１８に選択的に挿入接続することができる。補充充電用ケーブル１１及び通常充電用ケーブル１２の出力端子１７と、外部電源入力端子１８は、例えば、ＵＳＢコネクタが使用される。本発明において、ＵＳＢコネクタとしては、ミニまたはマイクロＵＳＢコネクタが使用され、従って、ＶＢＵＳピン、Ｄ＋ピン、Ｄ−ピン、ＧＮＤピン、ＩＤピンを備える。ＵＳＢコネクタに代えてＡＣアダプターに普通よく使用される端子を使用してもよいが、その場合もＩＤピンのような端子を備えていることが必要である。
【００１５】
ここで、補充充電用ケーブル１１は、ＵＳＢコネクタ内部またはケーブル内部においてＧＮＤピンとＩＤピンが短絡線１９によって接続されている。あるいは、ＡＣ／ＤＣアダプター１５の内部においてＧＮＤピンとＩＤピンが短絡線１９によって接続される。そして、電気機器側の外部電源コネクタ部１を構成する入力端子１８は、ＩＤピンがプルアップ抵抗２０を介して電源ラインに接続される。従って、補充充電用ケーブル１１の出力端子１７が電気機器の入力端子１８に接続されると、電源ライン、プルアップ抵抗２０、ＩＤピン、短絡線１９を介して、ＧＮＤピンは、Lowレベルに設定される。しかし、通常充電用ケーブル１２は、短絡線１９を備えていないので、通常充電用ケーブル１２の出力端子１７が電気機器の入力端子１８に接続されると、ＧＮＤピンは、オープン状態になりHighレベルになる。
このように、本発明の二次電池の充電装置に使用される補充充電用ケーブル１１と、通常充電用ケーブル１２は、外観が同じであるが、補充充電用ケーブル１１は、短絡線１９によって、ＩＤピンとＧＮＤピンが接続されているところが相違する。本発明では、ＩＤピンとＧＮＤピンを識別端子と言い、入力端子１８に備えるＩＤピンとＧＮＤピンを第１の識別端子、補充充電用ケーブル１１または通常充電用ケーブル１２に備えるＩＤピンとＧＮＤピンを第２の識別端子と言っている。電気機器側の入力端子１８は、補充充電用ケーブル１１の出力端子１７と通常充電用ケーブル１２の出力端子１７のために兼用される。
【００１６】
図１に示すように、外部電源コネクタ部１は、電源回路・充電回路３中のＦＥＴ３７およびＦＥＴ３８及び電池切り離し回路６を経て、二次電池４に接続される。ＦＥＴ３７は、二次電池４からシステム１０への直流電圧供給または遮断するスイッチングトランジスタであり、ＡＣアダプターから電源供給されるときは、外部電源検出回路３９によってＦＥＴ３７がオフされ、二次電池４からの電源供給を遮断する。しかし、ＡＣアダプターから電源供給されないときは、外部電源検出路３９によってＦＥＴ３７をオンにする。システム１０への電源供給ラインは、２つあり、第１ＤＣ／ＤＣコンバート３３とコイル３４による電源供給ライン、および第２ＤＣ／ＤＣコンバート３５とコイル３６による電源供給ラインである。図１は２つの電源供給ラインを示すが、１つでもよいし、２つ上であってもよい。図１において、電源ラインを太線で示し、信号線を細線で示す。
【００１７】
ＦＥＴ３８は、二次電池４への充電制御用トランジスタである。ＦＥＴ３８は、電池容量検出部５の出力を比較回路３２によって、電池劣化軽減範囲かどうか判定され、電池劣化軽減範囲以下であれば、補充充電するために、オンになる。また、二次電池４が満充電でない場合は、通常充電用ケーブルが接続されたとき、満充電するように、オンになる。しかし、充電を行なわないときは、オフになる。
【００１８】
電池切り離し回路６は、電源回路・充電回路３と二次電池４を接続して、補充充電あるいは通常充電を行い、または電源回路・充電回路３と二次電池４を切り離す回路である。電池切り離し回路６は、例えば、第１ＦＥＴによって構成され、ソース側が電源回路・充電回路３に接続され、ドレイン側が二次電池に接続される。そして、ゲートは、電池切り離し設定回路７の内部に備えられたスイッチＳＷ７１、および第３ＦＥＴ９に接続される。また、電源回路・充電回路３は、電池容量検出部５の検出出力を比較回路３２で受け、比較回路３２は、電池容量が電池劣化軽減範囲以下である場合は、スイッチＳＷ７１をオフにする信号を出力する。しかし、電池容量が電池劣化軽減範囲以上である場合は、スイッチＳＷ７１をオンにする信号を出力する。
【００１９】
判定部２は、ナンド回路を構成するＩＣ３よりなり、外部電源コネクタ部１に接続される補充充電用ケーブル１１、または通常充電用ケーブル１２を判定する。即ち、補充充電用ケーブル１１が電気機器の入力端子１８に接続された場合は、外部電源入力端子１８のＧＮＤピンは、短絡線１９を介してプルアップ抵抗２０に接続され、Lowレベルになる。しかし、通常充電用ケーブル１２が接続された場合は、外部電源入力端子１８のＧＮＤピンは、短絡線１９がないので、プルアップ抵抗２０に接続されず、オープンとなりHighレベルになる。
判定部２は、外部電源入力端子１８のＧＮＤピンがLowレベルである場合は、補充充電用ケーブル１１が接続されたことを判定する。そのとき、ＮＯＲ回路のもう一方のLowである場合は、電源回路・充電回路３の充電制御部３１に対して、補充充電を行なうよう制御する。これにより、充電制御部３１の第１出力端子３１ａは補充充電電圧を出力する。
判定部２は、外部電源入力端子１８のＧＮＤピンがHighレベルである場合は、通常充電用ケーブル１２が接続されたことを判定し、そのとき、ＮＯＲ回路のもう一方のLowである場合は、電源回路・充電回路３の充電制御部３１に対して、通常充電を行なうよう制御する。これにより、充電制御部３１の第１出力端子３１ｂは通常充電電圧を出力する。
【００２０】
本発明の二次電池の充電装置は、二次電池４を充電する装置であり、特に、リチウムイオン二次電池を充電するが、リチウムイオン二次電池は、満充電状態のまま長期保存すると劣化し、また充放電を繰り返すと、メモリ効果のため電池電圧が低下するような特性を有する。そのため、本発明の充電装置は、リチウムイオン二次電池を充電する場合、二次電池を長期保存するときは、満充電を下回り長期保存可能な所定容量に充電される。この場合に、所定容量の充電値は、二次電池規格によるが、例えば、満充電時における電池容量の３０〜５０％の電池容量で保存することが望ましい。本発明では、満充電を下回り長期保存可能な所定容量（または、電池劣化軽減範囲ということもある。）に充電することを補充充電と言っている。また、電気機器を使用するため、二次電池４を満充電にする場合を、通常充電と言っている。
【００２１】
電池切り離し設定回路７は、ＦＥＴなど半導体スイッチよりなるスイッチＳＷ７１と、２つのノアゲート７２と７３をクロス接続した論理回路７４と、電池切り離しパッド７５と、電気機器の電源ボタン（図示しない）に接続される電源ボタンライン７６を備える。そして、電池切り離しパッド７５と、電源ボタンライン７６にそれぞれ抵抗７７、７８が接続される。
上記スイッチＳＷ７１は、例えば、第２ＦＥＴ８または第３ＦＥＴ９と同じようなＦＥＴによって構成され、電池容量検出部５が二次電池の電池容量が所定値、例えば、電池劣化軽減範囲以下を検出する場合は、電源回路・充電回路３の出力によってオフにされる。しかし、電池容量検出部５が二次電池の電池容量が所定値、例えば、電池劣化軽減範囲以上を検出する場合は、電源回路・充電回路３の出力によってオンにされる。スイッチ７１の出力は、電池切り離し設定回路７を構成する第１ＦＥＴのゲートに供給され、第１ＦＥＴのオン・オフを制御する。
【００２２】
また、電池切り離しパッド７５は、メーカーが電気機器の出荷時や、販売店が長期保存する場合にオンにして、電池切り離し回路６をオフに設定するスイッチである。これにより、二次電池４は電源回路・充電回路３から切り離される。従って、電池切り離しパッド７５は、通常ユーザーが操作できないように、電気機器の内部に設置される。
上記電源ボタンライン７６は、電気機器の電源ボタンに接続され、電源ボタンを押すと、電源ボタンライン７６に電源電圧が印加され、電源ボタンが押されない場合は、電源ボタンライン７６は、オープンになっている。
【００２３】
スイッチＳＷ７１と、論理回路７４の真理値表は、図３（ａ）に示すとおりである。即ち、スイッチＳＷ７１がオンになれば、電池切り離し回路６の第１ＦＥＴのゲートが「１」になり、第１ＦＥＴのドレイン・ソース間はオフとなる。しかし、スイッチＳＷ７１がオフになれば、電池切り離し回路６の第１ＦＥＴのゲートが「０」になり、第１ＦＥＴのドレイン・ソース間はオンになる。
また、論理回路７４の一方の入力（ＳＥＴ）が「１」であり、他方の入力（解除）が「０」であれば、論理回路７４の一方の出力ＯＵＴ１は「１」になり、他方の出力ＯＵＴ２は「０」になり、その結果、電池切り離し回路６の第１ＦＥＴのゲートが「１」になり、第１ＦＥＴのドレイン・ソース間はオフとなる。論理回路７４の一方の入力（ＳＥＴ）が「０」であり、他方の入力（解除）が「１」であれば、論理回路７４の一方の出力ＯＵＴ１は「０」になり、他方の出力ＯＵＴ２は「１」になり、その結果、電池切り離し回路６の第１ＦＥＴのゲートが「０」になり、第１ＦＥＴのドレイン・ソース間はオンになる。
【００２４】
また、外部電源コネクタ１に補充充電用ケーブル１１が接続され、外部電源入力端子１８のＧＮＤピンが、Highレベルになると、電池切り離し回路６の第１ＦＥＴのゲートが「０」になり、第１ＦＥＴのドレイン・ソース間はオンになる。しかし、通常充電用ケーブル１２が接続され、外部電源入力端子１８のＧＮＤピンが、オープンであると、第２ＦＥＴ８および第３ＦＥＴ９から第１ＦＥＴのLow信号が印加されず、ノアゲート７３の出力ＯＵＴ１のHigh信号が加わるため、電池切り離し回路６の第１ＦＥＴのゲートが「１」になり、第１ＦＥＴのドレイン・ソース間はオフになる。
【００２５】
電池容量検出部５は、二次電池４の残容量を検出し、検出結果を電源回路・充電回路３の比較回路３２に出力する。電池容量検出部５は、満充電を下回り長期保存可能な所定容量（または、電池劣化軽減範囲）であるかどうかを検出する。
そして、補充充電用ケーブル１１が外部電源コネクタ部１に接続されたとき、電池容量検出部５が、電池劣化軽減範囲以下を検出する場合は、電源回路・充電回路３の充電制御部３１を補充充電電圧に制御する。また、同時に電池切り離し設定回路７のスイッチＳＷ７１にオフ信号を印加する。その結果、電源回路・充電回路３より補充充電電圧が電池切り離し回路６を経て、二次電池４に供給される。このようにして、補充充電が行なわれ、二次電池４の充電電圧が電池劣化範囲以上になると、電池容量検出部５が電池劣化範囲以上になったことを検出し、電源回路・充電回路３の比較回路３２は、充電制御部３１より、ＦＥＴ３８をオフにする信号を出力し、ＦＥＴ３８をオフにする。同時に、電池切り離し設定回路７のスイッチＳＷ７１にオン信号を印加し、電池切り離し回路６をオフにする。そのため、補充充電を終了する。
【００２６】
また、通常充電用ケーブル１２が外部電源コネクタ部１に接続され、且つ電池切り離し回路７が未設定の場合で、電池容量検出部５が、満充電電圧以下を検出する場合は、判定部２で上記判定が行なわれ、電源回路・充電回路３の充電制御部３１が出力３１ｂに通常充電電圧を出力するに制御し、また、同時に電池切り離し設定回路７のスイッチＳＷ７１にオフ信号を印加する。その結果、電源回路・充電回路３より通常充電電圧が電池切り離し回路６を経て、二次電池４に供給される。このようにして、通常充電が行なわれ、二次電池４の充電電圧が満充電電圧近くになると、電池容量検出部５が満充電近くになったことを検出し、電源回路・充電回路３は、電池切り離し設定回路７のスイッチＳＷ７１にオン信号を印加する。そのため、電池切り離し回路６がオフになり、通常充電を終了する。
【００２７】
次に、本発明の二次電池の充電装置の動作を図４のフローチャートともに説明する。
まず、電池切り離し設定回路７のオン動作を説明する。電気機器がメーカーで製造され、二次電池が電気機器に内蔵された状態で、製造工程において、電池切り離しパッド７５をショートする。または販売店で、電気機器を保存する場合に、電池切り離しパッド７５をショートする（ステップＳ１）。すると、論理回路７４のＳＥＴ端子にレベル「１」が印加されるので、一方の出力ＯＵＴ２は「０」となる。このとき、電池容量検出部５の検出出力が電池劣化軽減範囲以上であれば、電源回路・充電回路３の充電制御回路３１は、スイッチＳＷ７１をオンにする信号を出力する。そして、ステップＳ３に進み、スイッチＳＷ７１がオンであれば、ステップＳ４で電池切り離しを実施する。即ち、電池切り離し回路６の第１ＦＥＴのゲートを「１」にして、ドレイン・ソース間をオープンにする。これにより電池切り離し設定回路７のオン動作が完了する（ステップＳ５）。
【００２８】
しかし、ステップＳ３で、スイッチＳＷ７１がオフであれば、二次電池の電池容量は電池劣化軽減範囲以下であるので、ステップＳ６に進み、電源回路・充電回路３は、予め設定していた電圧エラーのメッセージを電気機器の表示部（図示しない）に表示する。メッセージは、例えば、「二次電池の電池容量は、電池劣化軽減範囲外です。補充充電してください。」のようである。このエラーメッセージを見て、メーカーの従業員、または販売店の店員は、補充充電を行なう。
なお、上記動作は、電池切り離しパッド７５をショートすることにより、連続して自動的に実施される。
【００２９】
次に、補充充電と通常充電の動作を図５のフローチャートともに説明する。
メーカー、または販売店において、定期的または不定期な検査時期になると、またはユーザーが通常充電を行なう場合（ステップＳ１１）、補充充電用ケーブル１１または通常充電用ケーブル１２を外部電源接続端子１８に接続する（ステップＳ１２）。次のステップＳ１３では、電池切り離し設定回路７が、設定状態であれば、ステップＳ１４に進む。しかし、電池切り離し設定回路７が未設定状態であれば、ステップＳ３１に進む。
電池切り離し設定回路７が、設定状態のとき、論理回路７４の出力ＯＵＴ２はレベル「０」であるので、第２ＦＥＴ８および第３ＦＥＴ９は、オン状態になる。そのため、外部電源入力端子１８のＧＮＤピンは、電池切り離し回路６に接続される。
ステップＳ１４では、外部電源接続端子１８のＧＮＤピンのLowレベルが電池切り離し回路６を構成する第１ＦＥＴのゲート端子に印加される。そのため、ステップＳ１５では、電池切り離し回路６の設定状態を一時的に解除する。即ち、電池切り離し回路６を構成する第１ＦＥＴのドレイン・ソース間をオン状態にする。しかし、ステップＳ１４において、外部電源接続端子のＧＮＤピンがHighレベルであれば、ステップＳ１６に進み、二次電池の充電を行なわれない。
【００３０】
次に、ステップＳ１７では、電池容量検出部５の検出出力により、電池容量が電池劣化軽減範囲以上、即ち補充充電が不要な電池容量であれば、電源回路・充電回路３はスイッチＳＷ７１をオンにして、電池切り離し回路６を構成する第１ＦＥＴのドレイン・ソース間をオフ状態にし、電源回路・充電回路３と、二次電池４の接続を切り離し、二次電池を充電しない（ステップＳ１８）。しかし、電池容量が電池劣化軽減範囲以下であれば、電源回路・充電回路３はスイッチＳＷ７１をオフにして、電池切り離し回路６を構成する第１ＦＥＴのドレイン・ソース間をオン状態にし、ステップＳ１９に進む。
【００３１】
ステップＳ１９では、外部電源入力端子１８のＧＮＤピンが短絡線１９によりプルアップ抵抗２０を介して電源ラインに接続され、ＧＮＤピンよりLowレベル信号が得られるので、判定部２は、電源回路・充電回路３を補充充電モードに設定する。そして、次のステップＳ２０で、二次電池４に補充充電を開始する。次に、ステップＳ２１では、電池容量検出部５が補充充電の必要容量以上を検出するまで、補充充電を実施し、補充充電の必要容量以上になると、ステップＳ２２に進み、補充充電を終了する。
【００３２】
上記ステップＳ１３において、電池切り離し回路６が未設定である場合（即ち、第１ＦＥＴのドレイン・ソース間がオン状態である場合）、ステップＳ３１に進み、外部電源接続端子１８に接続されたケーブルが補充充電用ケーブル１１か、通常充電用ケーブル１２かを外部電源入力端子１８のＧＮＤピンのレベルによって判断する。もし、Highレベルを検出する場合は、ステップＳ３２に進み、通常充電を行なう。通常充電により、電池容量検出部５が満充電を検出すると、電源回路・充電回路３により、スイッチＳＷ７１により、電池切り離し回路６をオフ状態にして、通常充電を終了する。
上記ステップ３１で、Lowレベルを検出する場合は、ステップＳ３３に進み、電池切り離し回路６が未設定であることを、電気機器の表示装置に表示することによって、告知する。そして、この場合、電池切り離し回路６が未設定であるため、充電を行なわずにこのフローを終了する。
以上に説明した補充充電と通常充電動作は、外部コネクタ部１に補充充電用ケーブル１１を接続するか、または通常充電用ケーブル１２を接続するかにより、連続して自動的に行なわれる。
【００３３】
次に、電池切り離し設定回路のオフ動作を図６に示すフローチャートとともに説明する。
電気機器の電源ボタンが押され（ステップＳ４１）、所定時間以上押されている場合には（ステップＳ４２）、ステップＳ４３に進み、所定時間以上押されなければ、ステップＳ４１に戻る。ステップＳ４３では、電池切り離し回路６の設定を解除する。これにより電気機器のシステム１０が起動され、電気機器の所定の動作が実行される。
上記電池切り離し設定回路のオフ動作は、電源ボタンを所定時間以上押すことにより、連続して自動的に行なわれる。
【符号の説明】
【００３４】
１  外部電源コネクタ部
２  判定部
３  電源回路・充電回路
４  二次電池
５  電池容量検出部
６  電池切り離し回路
７  電池切り離し設定回路
８  第２ＦＥＴ
９  第３ＦＥＴ
１０  電気機器本体のシステム
１１  サービス用ケーブル
１２  ユーザー用ケーブル
１３  プラグ
１４  ＡＣ／ＤＣ変換器
１５  ＡＣアダプター
１６  ケーブル
１７  出力端子
１８  入力端子
１９  短絡線
２０  プルアップ抵抗
７１  スイッチＳＷ
７４  論理回路
７５  電池切り離しパッド
７６  電源ボタンライン
【図１】
2014060861.tif 000003
【図２】
2014060861.tif 000004
【図３】
2014060861.tif 000005
【図４】
2014060861.tif 000006
【図５】
2014060861.tif 000007
【図６】
2014060861.tif 000008